(57)【要約】【課題】畝立て前の畑全体の注液作業は勿論、複数の土壌消毒機を用いることなく畝部の地中深くへの注液作業を、畝部を踏み付けることなく、しかも走行機体に連結して多数条にて迅速に行うことができる土壌注液装置を提供する。【解決手段】走行機体１の左右幅方向に沿って上下揺動自在に連結される中空センターフレーム２と、該中空センターフレーム２の内部に嵌装されて左右方向にスライド及び固定自在のスライドフレーム１２と、該スライドフレーム１２の外周に嵌装されて左右方向にスライド及び固定自在の注入刃取付ブラケット１４とからなり、好ましくは、前記センターフレーム２から間隔調節自在の接地転動輪２１と、該接地転動輪２１によって駆動される薬液ポンプ２２を有する薬液注液装置。【選択図】  図３
2005185209.tif 000002
【特許請求の範囲】
【請求項１】
走行機体（１）の左右幅方向に沿って上下揺動自在に連結される中空センターフレーム（２）と、該中空センターフレーム（２）の内部に嵌装されて左右方向にスライド及び固定自在のスライドフレーム（１２）と、該スライドフレーム（１２）の外周に嵌装されて左右方向にスライド及び固定自在の注入刃取付ブラケット（１４）と、からなる土壌注液装置。
【請求項２】
走行機体（１）の左右幅方向に沿って上下揺動自在に連結される中空センターフレーム（２）と、該中空センターフレーム（２）の内部に嵌装されて左右方向にスライド及び固定自在のスライドフレーム（１２）と、該スライドフレーム（１２）の外周に嵌装されて左右方向にスライド及び固定自在の注入刃取付ブラケット（１４）と、前記センターフレーム（２）から後方へ伸びる支持アーム（２３）を介して配設された間隔調節自在な二つの接地転動輪（２１，２１）と、該接地転動輪（２１，２１）によって駆動される薬液ポンプ（２２）と、からなる土壌注液装置。
【請求項３】
前記スライドフレーム（１２）の外周に嵌装されて左右方向にスライド及び固定自在の薬液タンク搭載ブラケット（１８）を有する請求項１又は２に記載の土壌注液装置。
【請求項４】
前記中空センターフレーム（２）に注入刃取付部（３０）を設けたことを特徴とする請求項１、２又は３に記載の土壌注液装置。
【発明の詳細な説明】
【技術分野】
【０００１】
本発明は、消毒用薬液や肥料等の液体を土壌中へ注入するために用いられる土壌注液装置に関し、詳しくは、走行機体のトレッドに対して注入刃の取付位置を無段階に変えることができ、したがって、畝立て後の各種の畝部に対する注液が容易であることを特徴とする。
【背景技術】
【０００２】
従来、提供されている土壌注液装置は、一般に畝立て前に畑全体の土壌消毒等を行うものであった（特許文献１、特許文献２）。
【特許文献１】特開平８−２５６５５０号公報
【特許文献２】特開平１１−１５１０５９号公報  なお、従来、ごぼう、長いも等の長根菜類の栽培において、土壌消毒を行う場合は、まず、畑全体を、トラクタマウント式多条数型の土壌消毒機を用いて注液作業を行い、その後、耕耘機を用い植栽間隔（７０〜１００ｃｍ）をあけて深く耕耘して畝立てを行い、その後、畝部の地中深くに一条ずつ注液を行う必要があった。
【０００３】
従来の畝部の地中深くへの土壌消毒等には、主にテーラー牽引式の一条型土壌消毒機が用いられている。このテーラー牽引式の一条型土壌消毒機で畝部への注液作業を一条ずつ行う場合、注入刃を抜き差しする際にテーラーを大きく傾ける必要があり重労働であり、また、１条ずつ作業を行わなければならず、時間がかかる等の問題があった。
【発明の開示】
【発明が解決しようとする課題】
【０００４】
本発明は、前記従来のごとく、畝立て前の畑全体の注液作業は勿論、複数の土壌消毒機を用いることなく、畝部の地中深くへの注液作業を、畝部を踏み付けることなく、しかも走行機体に連結して多数条にて迅速に行うことができる土壌注液装置を提供することを目的とする。
【課題を解決するための手段】
【０００５】
前記目的達成のために、請求項１に示す本発明の土壌注液装置は、走行機体の左右幅方向に沿って上下揺動自在に連結される中空センターフレームと、該中空センターフレームの内部に嵌装されて左右方向にスライド及び固定自在のスライドフレームと、該スライドフレームの外周に嵌装されて左右方向にスライド及び固定自在の注入刃取付ブラケットと、を有することを特徴とする。
【０００６】
前記構成により、前記中空センターフレームに対して前記スライドフレームをスライドさせることにより、注入刃取付ブラケットを必要とする畝部の位置に適合させることができるとともに、さらに前記スライドフレームに対して前記注入刃取付ブラケットをスライドさせることによっても、必要とする畝部の位置に適合させることができる。
【０００７】
すなわち、前記注入刃取付ブラケットを、前記走行機体の左右両側方向に沿って無段階にスライド調節することができ、前記注入刃取付ブラケットを走行機体の走行輪と同位置にすることなく、各種の畝部に合わせた注液が可能である。
【０００８】
また、請求項２に示す本発明の土壌注液装置は、走行機体の左右幅方向に沿って上下揺動自在に連結される中空センターフレームと、該中空センターフレームの内部に嵌装されて左右方向にスライド及び固定自在のスライドフレームと、該スライドフレームの外周に嵌装されて左右方向にスライド及び固定自在の注入刃取付ブラケットと、前記センターフレームから後方へ伸びる支持アームを介して配設された間隔調節自在な二つの接地転動輪と、該接地転動輪によって駆動される薬液ポンプと、を有することを特徴とする。
【０００９】
前記土壌注液装置によれば、前記走行機体の左右両側方向に注入刃取付ブラケットを無段階にスライド調節でき、前記走行機体の走行輪と同位置にすることなく、各種の畝部に合わせた注液が可能であるとともに、さらに、前記接地転動輪及び該接地転動輪によって駆動される薬液ポンプ等がユニット化されているため、土壌注液装置としての取り扱いが容易である。
【００１０】
請求項３に示す本発明実施の一形態の土壌注液装置は、前記スライドフレームの外周に嵌装されて左右方向にスライド及び固定自在の薬液タンク搭載ブラケットを有する請求項１又は２に記載の土壌注液装置である。前記本発明の実施の一形態によれば、例えば、前記薬液タンクを走行機体側に搭載する必要がなく、土壌注液装置が完全一体化され、しかも前記薬液タンク搭載部が前記スライドフレームに対してスライド及び固定自在であるため、前記注入刃取付ブラケットの位置決定の障害になることがない。
【００１１】
請求項４に示す本発明実施の一形態の土壌注液装置は、前記中空センターフレームに注入刃取付部を設けたことを特徴とする。前記本発明実施の一形態によれば、走行機体のトレッド間に位置する畝部に対する注液が可能であるとともに、畑全体を多条数にて注液することもできる。
【発明を実施するための最良の形態】
【００１２】
以下、添付図面を参照して本発明を実施するための最良の形態を説明する。図中、１は走行機体、具体的には、農耕用トラクターである。本発明の土壌注液装置Ｄは、前記走行機体１のスリーポイント・ヒッチに装着されて使用される。
【００１３】
まず、前記走行機体１の左右幅方向に沿って上下揺動自在に中空センターフレーム２が連結される。図面実施の一形態では、前記走行機体１に設けられた前記スリーポイント・ヒッチを構成する二本のロア−・リンク３と、前記センターフレーム２にから前方に向けて設けられた左右二本の連結杆４とが、それぞれ枢支軸となるロアーリンク・ピン５によって連結され、前記センターフレーム２が、前記連結杆４を介して前記走行機体１に対して上下揺動自在に構成されている。なお、前記センターフレーム２は、鋼製の角筒体であることが好ましい。
【００１４】
図中、６は、前記中空センターフレーム２を前記ロアーリンク・ピン５を支点にして必要とする上下揺動位置に保持する保持手段としてのトップ・リンクであり、前記センターフレーム２の上面に起立させたセンター・マスト７の先端部７ａと前記走行機体１との間に、伸縮自在杆として介装されている。
【００１５】
すなわち、前記センター・マスト７の先端部７ａに、雄ねじ杆８の外側端８ａが枢止軸となるトップリンク・ピン９により揺動自在に連結され、前記走行機体１側にも同様に、図示しない雄ねじ杆の外側端が、図示しないトップリンク・ピンにより揺動自在に連結され、前記両雄ねじ杆のそれぞれ内側端に雌ねじ管１０が螺合させられて成る。そして該雌ねじ管１０に設けたハンドル１１を把持して前記雌ねじ管１０を回転させることにより、前記両雄ねじ杆の間隔をターンバックル式に伸縮調節して、前記センターフレーム２の所望の上下揺動位置を保持する構成となっている。
【００１６】
つぎに、前記中空センターフレーム２の内部に、左右方向スライド及び固定自在に、スライドフレーム１２が左右両端からそれぞれ嵌装される。なお、該スライドフレーム１２は、前記センターフレーム２が角筒体の場合には、同様に鋼製角筒体とされる。
【００１７】
前記センターフレーム２に対する前記スライドフレーム１２の左右方向スライド調節は、予め前記センターフレーム２の両端近くに螺合したロックボルト１３を緩め、該ロックボルト１３の螺入先端による前記スライドフレーム１２への押圧力を解除して行われる。
【００１８】
また、前記センターフレーム２に対する前記スライドフレーム１２の所望位置への固定は、前記ロックボルト１３を締付け、該ロックボルト１３の螺入先端を、前記スライドフレーム１２に強固に押圧することにより行われる。図中、１３ａは、ロックナットである。
【００１９】
さらに、前記スライドフレーム１２の外周に、該スライドフレーム１２に対して左右方向スライド及び固定自在の注入刃取付ブラケット１４が嵌装される。該注入刃取付ブラケット１４は、短い角筒体１４ａと取付片１４ｂで構成され、該取付片１４bに注入刃１５がボルト及びナット２０により取り付けられる。
【００２０】
前記スライドフレーム１２に対する前記注入刃１５のスライド調節は、前記注入刃取付ブラケット１４を構成する前記角筒体１４ａ部に予め螺合したロックボルト１６を緩め、該ロックボルト１６の螺入先端による前記スライドフレーム１２への押圧力を解除して行われる。
【００２１】
また、前記スライドフレーム１２に対する前記注入刃１５の所望位置への固定は、前記ロックボルト１６を締付け、該ロックボルト１５の螺入先端を、前記スライドフレーム１２に強固に押圧することにより行われる。図中、１６ａは、ロックナットである。
【００２２】
なお、図面実施の一形態では、前記スライドフレーム１２の外周に、さらに、左右方向にスライド及び固定自在の薬液タンク１７の搭載ブラケット１８を嵌装した例が示されている。すなわち、前記薬液タンク搭載ブラケット１８は、短い角筒体１８ａとタンク支持部１８ｂで構成され、該タンク支持部１８ｂに、前記薬液タンク１７が搭載される構成が示されている。図中、１９は、前記短い角筒体１８ａに螺合させられたロックボルトである。なお、前記角筒体１８ａによる前記薬液タンク搭載ブラケット１８のスライド調節は、前記注入刃取付ブラケット１４のスライド調節と全く同様であるので、その説明は省略する。
【００２３】
さらに、前記センターフレーム２から後方へ伸びる支持アーム２３を介して間隔調節自在の左右二つの接地転動輪２１，２１と、該接地転動輪２１，２１によって駆動されるダイヤフラム式等の薬液ポンプ２２が設けられる。すなわち、前記センターフレーム２の中央部から後方へ延長された前記支持アーム２３を介して、前記薬液ポンプ２２及びポンプ駆動用伝動ボックス２４が設けられ、該ポンプ駆動用伝動ボックス２４の下端部を貫通して前記接地転動輪２１，２１を支持する駆動シャフト２５が設けられている。図中、２６は、前記薬液タンク１７と前記薬液ポンプ２２を結ぶ配管、２７は、前記薬液ポンプ２２と前記注入刃１５に上下二段に配設された図示しない二つの吐出ノズルとを結ぶ配管である。
【００２４】
つぎに、前記接地転動輪２１，２１の間隔調節機構について述べる。この接地転動輪２１，２１の間隔調節は、該接地転動輪２１，２１の畝上に位置してしまうことを避けるために必要であり、前記駆動シャフト２５に対して前記接地転動輪２１が左右方向にスライド及び固定自在に構成される。
【００２５】
図面実施の一形態では、前記接地転動輪２１，２１の中心部の駆動シャフト挿通部両側にボス部２８を形成し、前記駆動シャフト２５に対して前記接地転動輪２１，２１が左右方向スライド自在に構成されている。前記駆動シャフト２５に対する前記接地転動輪２１，２１の固定は、前記駆動シャフト２５に適当間隔をあけて設けた貫通孔２５ａと前記ボス部２８に設けた貫通孔２８ａを適合させ、該両貫通孔２５ａと２８ａに係止ピン２９を挿通して互いに一体化することによって行っている。
【００２６】
前記構成にあって、前記接地転動輪２１，２１の接地走行時には、該接地転動輪２１，２１の回転が前記駆動シャフト２５に伝えられ、前記ポンプ駆動用伝動ボックス２４内のギア等を介して、前記薬液ポンプ２２が駆動させられる。
【００２７】
図４には、前記センターフレーム２にも注入刃取付部３０を設けた例が示されている。この実施の一形態によれば、前記走行機体１のトレッド間に位置する畝部に対する注液が可能であるとともに、畝立て前に畑全体を多条数にて注液を行なうこともできる。
【００２８】
以上の構成によれば、走行機体のトレッド、畝幅、畝間間隔等に合わせて、機体の前後方向及び左右方向のバランスを維持しつつ，きめ細かく機体の調節が可能となり、効率良く作業を行うことができる。
【００２９】
また、薬液タンク搭載ブラケットも独立して，スライドフレームに対し任意に位置調節自在、かつ、抜き差し自在とせしめることにより，所望の数の薬液タンクを、注入刃と独立して配設することも可能となる。
【図面の簡単な説明】
【００３０】
【図１】本発明の一実施の形態に係る土壌注液装置の斜視図である。
【図２】本発明の一実施の形態に係る土壌注液装置の背面図である。
【図３】本発明の一実施の形態に係る土壌注液装置の要部の斜視図である。
【図４】本発明の他の実施の形態に係る要部の背面図である。
【符号の説明】
【００３１】
１    走行機体
２    センターフレーム
１２  スライドフレーム
１４  注入刃取付ブラケット
１８  薬液タンク搭載ブラケット
２１  接地転動輪
２２  薬液ポンプ
２３  支持アーム
３０  注入刃取付部
【図１】
2005185209.tif 000003
【図２】
2005185209.tif 000004
【図３】
2005185209.tif 000005
【図４】
2005185209.tif 000006